【手続補正書】
【提出日】平成22年3月1日(2010.3.1)
【手続補正１】
【補正対象書類名】特許請求の範囲
【補正対象項目名】全文
【補正方法】変更
【補正の内容】
【特許請求の範囲】
【請求項１】
画像処理装置と、情報処理装置とからなる画像処理システムであって、
前記画像処理装置は、
画像ファイルに対して一意な識別情報を作成する作成手段と、前記情報処理装置に、前記画像ファイルと前記識別情報とを送信する送信手段とを有し、
前記情報処理装置は、
前記画像処理装置から送信された前記画像ファイルと前記識別情報とを受信する受信手段と、受信した画像ファイルのファイル名と識別情報とに基づき、新たなファイル名を作成して前記画像ファイルに付与するファイル名付与手段とを有することを特徴とする画像処理システム。
【請求項２】
画像処理装置と通信可能な情報処理装置であって、
前記画像処理装置から、画像ファイル及び前記画像ファイルを特定する識別情報を受信する受信手段と、
前記受信手段により受信された前記画像ファイルのファイル名及び前記受信手段により受信された該画像ファイルを特定する識別情報に基づき、新たなファイル名を作成して前記受信手段により受信された画像ファイルに付与するファイル名付与手段と、
前記新たなファイル名を付与した画像ファイルを第１の記憶領域に記憶する記憶手段とを有することを特徴とする情報処理装置。
【請求項３】
前記識別情報は、少なくとも前記画像ファイルを撮影した装置の固体番号及び撮影の時刻に基づき作成されたものであることを特徴とする請求項２記載の情報処理装置。
【請求項４】
前記ファイル名付与手段は、前記受信した画像ファイルのファイル名と該画像ファイルを特定する識別情報とを含む新たなファイル名を作成することを特徴とする請求項２又は３記載の情報処理装置。
【請求項５】
前記受信手段により前記識別情報を受信した場合に、前記第１の記録領域に記憶された画像ファイルのファイル名を参照する参照手段と、
前記参照手段による参照の結果、前記受信した識別情報のうち、前記第１の記憶領域に記憶された画像ファイルのファイル名に含まれない識別情報が存在するか否かを判断する第１の判断手段とを有することを特徴とする請求項４に記載の情報処理装置。
【請求項６】
前記第１の判断手段により前記第１の記憶領域に記憶された画像ファイルのファイル名に含まれない識別情報が存在すると判断した場合に、前記受信手段は、当該識別情報に対応付けられた画像ファイルを前記画像処理装置から受信することを特徴とする請求項５記載の情報処理装置。
【請求項７】
前記新たなファイル名を付与した画像ファイルに関する情報を表示する際、前記新たなファイル名から前記識別情報を削除したものを前記画像ファイルのファイル名として表示する表示手段を有することを特徴とする請求項４乃至６のいずれか１項に記載の情報処理装置。
【請求項８】
前記記憶手段は、前記第１の記憶領域に記憶した画像ファイルを、さらに第２の記憶領域に記憶することが可能であり、
前記記憶手段は、前記画像ファイルを第１の記憶領域には隠しファイルとして記憶し、前記第２の記憶領域にはユーザからアクセス可能な形式で記憶することを特徴とする請求項２乃至７のいずれか１項に記載の情報処理装置。
【請求項９】
前記記憶手段は、前記第２の記憶領域への記憶をユーザ操作に基づき行うことを特徴とする請求項８記載の情報処理装置。
【請求項１０】
前記画像ファイルに対する処理の履歴を管理する管理テーブルと、
以前行った処理を再度行う再処理要求があった場合に、前記第１の記憶領域に記憶された画像ファイルのファイル名から前記識別情報を取得する取得手段と、
前記取得手段で取得した前記識別情報が前記管理テーブルに存在するか否かを判断する第２の判断手段と、
前記第２の判断手段により前記管理テーブルに前記識別情報が存在すると判断された場合、前記画像ファイルに対して前記再処理要求で示す処理を行う処理手段とをさらに有することを特徴とする請求項２記載の情報処理装置。
【請求項１１】
画像処理装置と、情報処理装置とからなる画像処理システムで用いられる制御方法であって、
前記画像処理装置が、
画像ファイルに対して一意な識別情報を作成する作成ステップと、前記情報処理装置に、前記画像ファイルと前記識別情報とを送信する送信ステップとを行い、
前記情報処理装置が、
前記画像処理装置から送信された前記画像ファイルと前記識別情報とを受信する受信ステップと、受信した画像ファイルのファイル名と識別情報とに基づき、新たなファイル名を作成して前記画像ファイルに付与するファイル名付与ステップとを行うことを特徴とする制御方法。
【請求項１２】
画像処理装置と、情報処理装置とからなる画像処理システムで用いられる制御プログラムであって、
前記画像処理装置に、
画像ファイルに対して一意な識別情報を作成する作成ステップと、前記情報処理装置に、前記画像ファイルと前記識別情報とを送信する送信ステップとを実行させ、
前記情報処理装置に、
前記画像処理装置から送信された前記画像ファイルと前記識別情報とを受信する受信ステップと、受信した画像ファイルのファイル名と識別情報とに基づき、新たなファイル名を作成して前記画像ファイルに付与するファイル名付与ステップとを実行させることを特徴とする制御プログラム。
【請求項１３】
請求項１２に記載の制御プログラムを記憶したコンピュータで読み取りが可能な記憶媒体。
【手続補正２】
【補正対象書類名】明細書
【補正対象項目名】０００７
【補正方法】変更
【補正の内容】
【０００７】
上記目的を達成するために、本発明による画像処理システムは、画像処理装置と、情報処理装置とからなる画像処理システムであって、前記画像処理装置は、画像ファイルに対して一意な識別情報を作成する作成手段と、前記情報処理装置に、前記画像ファイルと前記識別情報とを送信する送信手段とを有し、前記情報処理装置は、前記画像処理装置から送信された前記画像ファイルと前記識別情報とを受信する受信手段と、受信した画像ファイルのファイル名と識別情報とに基づき、新たなファイル名を作成して前記画像ファイルに付与するファイル名付与手段とを有することを特徴とする。
【手続補正３】
【補正対象書類名】明細書
【補正対象項目名】０００８
【補正方法】変更
【補正の内容】
【０００８】
本発明による情報処理装置は、画像処理装置と通信可能な情報処理装置であって、前記画像処理装置から、画像ファイル及び前記画像ファイルを特定する識別情報を受信する受信手段と、前記受信手段により受信された前記画像ファイルのファイル名及び前記受信手段により受信された該画像ファイルを特定する識別情報に基づき、新たなファイル名を作成して前記受信手段により受信された画像ファイルに付与するファイル名付与手段と、前記新たなファイル名を付与した画像ファイルを第１の記憶領域に記憶する記憶手段とを有することを特徴とする。
【手続補正４】
【補正対象書類名】明細書
【補正対象項目名】０００９
【補正方法】変更
【補正の内容】
【０００９】
本発明による制御方法は、画像処理装置と、情報処理装置とからなる画像処理システムで用いられる制御方法であって、前記画像処理装置が、画像ファイルに対して一意な識別情報を作成する作成ステップと、前記情報処理装置に、前記画像ファイルと前記識別情報とを送信する送信ステップとを行い、前記情報処理装置が、前記画像処理装置から送信された前記画像ファイルと前記識別情報とを受信する受信ステップと、受信した画像ファイルのファイル名と識別情報とに基づき、新たなファイル名を作成して前記画像ファイルに付与するファイル名付与ステップとを行うことを特徴とする。
【手続補正５】
【補正対象書類名】明細書
【補正対象項目名】００１０
【補正方法】変更
【補正の内容】
【００１０】
本発明による制御プログラムは、画像処理装置と、情報処理装置とからなる画像処理システムで用いられる制御プログラムであって、前記画像処理装置に、画像ファイルに対して一意な識別情報を作成する作成ステップと、前記情報処理装置に、前記画像ファイルと前記識別情報とを送信する送信ステップとを実行させ、前記情報処理装置に、前記画像処理装置から送信された前記画像ファイルと前記識別情報とを受信する受信ステップと、受信した画像ファイルのファイル名と識別情報とに基づき、新たなファイル名を作成して前記画像ファイルに付与するファイル名付与ステップとを実行させることを特徴とする。
【手続補正６】
【補正対象書類名】明細書
【補正対象項目名】００１１
【補正方法】変更
【補正の内容】
【００１１】
本発明による記録媒体は、上記の制御プログラムを記憶したコンピュータで読み取りが可能な記憶媒体である。
【手続補正７】
【補正対象書類名】明細書
【補正対象項目名】０１０９
【補正方法】変更
【補正の内容】
【０１０９】
ステップＳ１２０３で、ＰＣ１０１はステップＳ１２０１で取得したＵＵＩＤがステップＳ１２０２で検索したディレクトリエントリのファイル名の中に存在するか否か判断する。つまり、履歴管理テーブルに存在するＵＵＩＤを有する画像ファイルがフォルダ「Ｃ：￥Ｔｅｍｐ」に存在するか否かを判断する。存在すると判断した場合、処理をステップＳ１２０４に進める。存在しないと判断した場合、本処理を終了する。
【手続補正８】
【補正対象書類名】明細書
【補正対象項目名】０１１０
【補正方法】変更
【補正の内容】
【０１１０】
ステップＳ１２０４で、ＰＣ１０１は、履歴管理テーブルに存在するＵＵＩＤを有する画像ファイルを印刷する指示を行う。具体的には、印刷用のアプリケーションに印刷対象の画像ファイルを読み込み、プリンタ（図示せず）への印刷指示を行う。
【手続補正９】
【補正対象書類名】明細書
【補正対象項目名】０１５１
【補正方法】変更
【補正の内容】
【０１５１】
画像ファイル名をＰＣ１０１の表示部材２００１に表示する場合、ＰＣ内ファイル名からＵＵＩＤ部分を削除したものをファイル名として表示する。